【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
発光素子（Ｌｉｇｈｔ  Ｅｍｉｔｔｉｎｇ  Ｄｅｖｉｃｅ）を製造する方法であって、
第１の色の光を発するように構成された複数のＬＥＤチップの発光特性を測定すること、
前記測定された発光特性に基づいて前記複数のＬＥＤチップを分類して、同様の測定された発光特性を有するＬＥＤチップをそれぞれ含む複数の群を設けること、
前記複数の群のそれぞれについて、その群の中に含まれた前記ＬＥＤチップの前記測定された発光特性および所望の色ポイントに基づいて、前記第１の色の光の少なくとも幾分かを吸収し、それに応答して第２の色の光を発するように構成されたそれぞれの光変換材料を選択すること、および
前記複数の群のそれぞれについて、前記それぞれの選択された光変換材料を、その群の中に含まれた前記ＬＥＤチップの上に堆積させて、前記複数のＬＥＤチップを含み、前記所望の色ポイントを有する光を発するようにそれぞれ構成された複数のパッケージ化ＬＥＤを設けること
を含むことを特徴とする方法。
【請求項２】
前記複数の群のぞれぞれについて、前記それぞれの光変換材料の選択に応じて、前記群の中に含まれた前記複数のＬＥＤチップのそれぞれについての前記測定された発光特性に基づいて、前記それぞれの光変換材料の厚さを決定し、
前記複数の群のそれぞれについて、前記堆積させることは、前記群に含まれた前記複数のＬＥＤチップのそれぞれについての前記決定された厚さに対して前記それぞれの光変換材料を堆積することを含む請求項１記載の方法。
【請求項３】
前記発光特性を測定することは、前記複数のＬＥＤチップのそれぞれが発する前記光の放射束および／または波長を測定することを含むことを特徴とする請求項２に記載の方法。
【請求項４】
前記それぞれの光変換材料を選択することは、
堆積した場合に、前記ＬＥＤチップと前記それぞれの光変換材料とが発する光の組合せによって、前記所望の色ポイントを有する光が出現するように、前記複数の群のそれぞれについて、その群の中に含まれた前記ＬＥＤチップの前記測定波長の平均に基づいて、ある色ポイントを有する前記それぞれの光変換材料を選択することを含むことを特徴とする請求項３に記載の方法。
【請求項５】
前記それぞれの光変換材料を選択することは、
前記複数の群のそれぞれについて、その群の中に含まれた前記ＬＥＤチップの前記平均測定波長および前記所望の色ポイントによって画定される線に基づいて、ＣＩＥ１９３１色度図上の色座標を決定すること、および、
前記複数の群のそれぞれについて、決定した色座標によって画定される前記色ポイントを有する前記それぞれの光変換材料を選択すること
をさらに含むことを特徴とする請求項４に記載の方法。
【請求項６】
前記それぞれの光変換材料の厚さを決定することは、
前記ＬＥＤチップと前記それぞれの光変換材料とが発する光の組合せによって、前記所望の色ポイントを有する光が出現するように、前記複数の群のそれぞれについて、その群の中に含まれた前記ＬＥＤチップの前記測定放射束の平均に基づいて、前記それぞれの選択された光変換材料の前記厚さを決定することをさらに含むことを特徴とする請求項５に記載の方法。
【請求項７】
前記複数の群のそれぞれについて、前記それぞれの光変換材料は、蛍光体および封入溶液を含み、前記それぞれの選択された光変換材料の厚さを決定することは、
前記複数の群のそれぞれについて、前記封入溶液の体積当たりの蛍光体濃度に基づいて、前記それぞれの選択された光変換材料の厚さを決定することを含むことを特徴とする請求項６に記載の方法。
【請求項８】
前記複数の群の前記それぞれの光変換材料は、同じ光変換材料を含むことを特徴とする請求項７に記載の方法。
【請求項９】
前記複数の群の前記それぞれの光変換材料は、前記複数の群のそれぞれについて異なるドープ濃度および／または粒径を有する同じ光変換材料を含むことを特徴とする請求項８に記載の方法。
【請求項１０】
前記複数の群のそれぞれにおいて、複数の前記ＬＥＤチップは、互いに約５ナノメートル（ｎｍ）以下の範囲内の波長を有する前記第１の色の光を発するようにそれぞれ構成されることを特徴とする請求項２に記載の方法。
【請求項１１】
前記複数の群のそれぞれにおいて、複数の前記ＬＥＤチップは、互いに約１０ミリワット（ｍＷ）から約２０ｍＷ以下の範囲内の放射束を有する前記第１の色の光を発するようにそれぞれ構成されることを特徴とする請求項２に記載の方法。
【請求項１２】
前記所望の色ポイントを有する光は、前記所望の色ポイントを中心とした４ステップマカダム楕円内の色ポイントを有する光を含むことを特徴とする請求項１に記載の方法。
【請求項１３】
前記複数のＬＥＤチップは、青色波長範囲内の光を発するように構成され、前記複数の群のそれぞれについて選択される前記それぞれの光変換材料は、黄色発光蛍光体を含むことを特徴とする請求項１に記載の方法。
【請求項１４】
前記複数の群のそれぞれについて、前記それぞれの光変換材料は、第１の光変換材料を含み、
前記複数の群の少なくともいくつかについて、その群の中に含まれた前記ＬＥＤチップの前記測定された発光特性、前記第１の光変換材料の発光特性、および前記所望の色ポイントに基づいて、前記第１および／または第２の色の光の少なくとも幾分かを吸収し、それに応答して第３の色の光を発するように構成された第２の光変換材料を選択すること、および
前記複数の群の前記少なくともいくつかについて、前記それぞれの第２の光変換材料を、その群の中に含まれた前記ＬＥＤチップの上に堆積させて、前記複数のＬＥＤチップを含み、前記所望の色ポイントを有する光を発するようにそれぞれ構成された複数のパッケージ化ＬＥＤを設けること
をさらに含むことを特徴とする請求項１に記載の方法。
【請求項１５】
前記複数のＬＥＤチップは、青色波長範囲内の光を発するように構成され、前記複数の群のそれぞれについて選択される前記第１の光変換材料は、黄色発光蛍光体を含み、前記複数の群の前記少なくともいくつかについて選択される前記第２の光変換材料は、赤色発光蛍光体を含むことを特徴とする請求項１４に記載の方法。
【請求項１６】
発光素子（ＬＥＤ）を製造する方法であって、
複数のＬＥＤチップの発光特性を測定すること、
前記測定された発光特性に基づいて前記複数のＬＥＤチップを分類して、同様の測定された発光特性を有するＬＥＤチップをそれぞれ含む第１および第２の群を設けること、
前記第１の群について、その群の中に含まれた前記ＬＥＤチップの前記測定された発光特性および所望の色ポイントに基づいて、第１の光変換材料を選択することであって、前記第１の光変換材料は、前記第１の群の前記ＬＥＤチップが発する少なくとも１つの波長の光を吸収し、それに応答して異なる波長の光を発するように構成されていること、
前記第２の群について、その群の中に含まれた前記ＬＥＤチップの前記測定された発光特性および所望の色ポイントに基づいて、第２の光変換材料を選択することであって、前記第２の光変換材料は、前記第２の群の前記ＬＥＤチップが発する少なくとも１つの波長の光を吸収し、それに応答して異なる波長の光を発するように構成されていること、
前記第１の光変換材料を、前記第１の群に含まれた前記ＬＥＤチップの上に堆積させて、前記所望の色ポイントの光を発するように構成された第１の複数のパッケージ化ＬＥＤを設けること、および
前記第２の光変換材料を、前記第２の群に含まれた前記ＬＥＤチップの上に堆積させて、前記所望の色ポイントの光を発するように構成された第２の複数のパッケージ化ＬＥＤを設けること
を含むことを特徴とする方法。
【請求項１７】
前記第１の群のＬＥＤチップのそれぞれの前記測定された発光特性に基づくと共に、前記第１の光変換材料の選択に応じて、前記第１の光変換材料の第１の厚さを決定することと、
前記第２の群の前記ＬＥＤチップのそれぞれの前記測定された発光特性に基づくと共に、前記第２の光材料の選択に応じて、前記第２の光変換材料の第２の厚さを決定することとをさらに含み、
前記堆積することは、前記第１と第２の厚さに対して前記第１と第２の光変換材料をそれぞれ堆積させることを含むことを特徴とする請求項１６に記載の方法。
【請求項１８】
前記発光特性を測定することは、前記複数のＬＥＤチップのそれぞれが発する光のピーク波長を測定することを含み、前記第１および第２の光変換材料を選択することは、
堆積した場合に、前記第１の群の前記ＬＥＤチップと前記第１の光変換材料とが発する光の組合せによって、前記所望の色ポイントを有する光が出現するように、前記第１の群の前記ＬＥＤチップの前記測定波長の平均に基づいて、ある色ポイントを有する前記第１の光変換材料を選択すること、および
堆積した場合に、前記第２の群の前記ＬＥＤチップと前記それぞれの光変換材料とが発する光の組合せによって、前記所望の色ポイントを有する光が出現するように、前記第２の群の前記ＬＥＤチップの前記測定波長の平均に基づいて、ある色ポイントを有する前記第２の光変換材料を選択すること
を含むことを特徴とする請求項１７に記載の方法。
【請求項１９】
前記発光特性を測定することは、前記複数のＬＥＤチップのそれぞれが発する光の放射束を測定することを含み、前記第１および第２の光変換材料の前記第１および第２の厚さを決定することは、
前記第１の群のＬＥＤチップと前記第１の光変換材料とが発する光の組合せによって、前記所望の色ポイントを有する光が出現するように、前記第１の群の前記ＬＥＤチップの前記測定放射束の平均に基づいて、前記第１の光変換材料の前記第１の厚さを決定すること、および
前記第２の群のＬＥＤチップと前記第２の光変換材料とが発する光の組合せによって、前記所望の色ポイントを有する光が出現するように、前記第２の群の前記ＬＥＤチップの前記測定放射束の平均に基づいて、前記第２の光変換材料の前記第２の厚さを決定することを含むことを特徴とする請求項１８に記載の方法。
【請求項２０】
発光素子（Ｌｉｇｈｔ  Ｅｍｉｔｔｉｎｇ  Ｄｅｖｉｃｅ）を製造する装置であって、
第１の色の光を発するように構成された複数のＬＥＤチップの発光特性を測定するように構成されたセンサと、
前記測定された発光特性に基づいて前記複数のＬＥＤチップを分類して、同様の測定された発光特性を有するＬＥＤチップをそれぞれ含む複数の群を設けるように構成された分類機構と、
前記第１の色の前記光の少なくとも幾分かを吸収し、それに応答して第２の色の光を発するように構成された複数の光変換材料を含む貯蔵部と、
前記貯蔵部に結合された光変換材料供給ラインと、
前記複数の群のそれぞれについて、その群の中に含まれた前記ＬＥＤチップの前記測定された発光特性および所望の色ポイントに基づいて、前記複数の光変換材料を選択するように構成され、かつ、前記貯蔵部に信号を供給して、前記複数の群のそれぞれについて選択された前記それぞれの光変換材料を前記供給ラインに供給するように構成された制御器と、
前記供給ラインに結合され、前記複数の群のそれぞれについて選択された前記それぞれの光変換材料を、その群の中に含まれた前記ＬＥＤチップの上に堆積させて、前記複数のＬＥＤチップを含む複数のパッケージ化ＬＥＤを設けるように構成された分注機構とを備え、
前記複数のパッケージ化ＬＥＤは、前記所望の色ポイントを有する光を発するようにそれぞれ構成されることを特徴とする装置。
【請求項２１】
前記制御器は、更に、前記群に含まれた前記複数のＬＥＤチップの前記それぞれの前記測定された発光特性に基づくと共に、前記それぞれの光変換材料の選択に応じて、前記複数の群のそれぞれに選択された前記それぞれの光変換材料のそれぞれの厚さを決定し、当該それぞれの厚さに相当する前記複数の群のそれぞれに対して選択された前記それぞれの光変換材料の量を供給するために前記貯蔵器に信号を与えるように構成されることを特徴とする請求項２０記載の装置。
【請求項２２】
前記センサは、前記複数のＬＥＤチップのそれぞれが発する光の放射束および／または波長を測定するように構成されることを特徴とする請求項２１に記載の装置。
【請求項２３】
前記制御器は、堆積した場合に、前記ＬＥＤチップと前記それぞれの光変換材料とが発する光の組合せによって、前記所望の色ポイントを有する光が出現するように、前記複数の群のそれぞれについて、その群の中に含まれた前記ＬＥＤチップの前記測定波長の平均に基づいて、ある色ポイントを有する前記それぞれの光変換材料を選択するように構成されることを特徴とする請求項２２に記載の装置。
【請求項２４】
前記制御器は、前記群の中に含まれた前記ＬＥＤチップと前記それぞれの光変換材料とが発する光の組合せによって、前記所望の色ポイントを有する光が出現するように、前記複数の群のそれぞれについて、その群の中に含まれた前記ＬＥＤチップの測定放射束の平均に基づいて、前記それぞれの選択された光変換材料の前記それぞれの厚さを決定するように構成されることを特徴とする請求項２３に記載の装置。